(57)【要約】【課題】羽毛の持つ特性以上に、夏季は涼しく、冬季は暖かな感触が得られるようにした羽毛を用いた製品である羽毛布団を提供することにある。【解決手段】袋状に縫製された外装体の内部に羽毛７が充填される羽毛布団であって、  上記羽毛には蓄熱材が充填されたマイクロカプセル８がバインダー９によって付着されている。【選択図】      図３
2013123482.tif 000002
【特許請求の範囲】
【請求項１】
袋状に縫製された外装体の内部に羽毛が充填される羽毛を用いた製品であって、
上記羽毛には蓄熱材が充填されたマイクロカプセルがバインダーによって付着されていることを特徴とする羽毛を用いた製品。
【請求項２】
上記バインダーにはシリコン系のマイクロエマルジョンが用いられることを特徴とする請求項１記載の羽毛を用いた製品。
【請求項３】
上記蓄熱材は温度変化が生じない領域が２５〜３０度の範囲内の任意の温度に設定されていることを特徴とする請求項１又は請求項２記載の羽毛を用いた製品。
【発明の詳細な説明】
【技術分野】
【０００１】
この発明は布地を袋状に縫製した外装体の内部に羽毛を充填して形成される、たとえば羽毛布団などのような羽毛を用いた製品に関する。
【背景技術】
【０００２】
たとえば、袋状に縫製された外装体の内部に羽毛を充填される製品としては羽毛布団、寝袋、枕、クッション、コートなどがあり、たとえば羽毛布団は表側布地と裏側布地とを重ね合せ、これらの周辺部を縫合して袋状に形成された上記外装体を有する。この外装体の内部は格子状に設けられた仕切り布によって複数の空間部に区画され、各空間部内には羽毛が充填されている。
【０００３】
羽毛布団に用いられる羽毛は、周知のように外気温度が高いときには通気性が上昇するため、夏季には蒸れることなく、比較的涼しい状態で使用することができ、外気温度が低いときには通気性が低下して保温性が高くなるため、冬季には比較的暖かな状態で使用することができるという特性がある。
【先行技術文献】
【特許文献】
【０００４】
【特許文献１】特開２００６−２８８８２０号公報
【発明の概要】
【発明が解決しようとする課題】
【０００５】
上記羽毛布団の夏季における通気性、及び冬季における保温性は羽毛の品質（等級）によって大きく左右されることが知られている。たとえば、水鳥の種類やその水鳥のどの部分の羽毛であるかによって通気性や保温性に差異が生じることになる。
【０００６】
しかしながら、良質な羽毛を用いることによって通気性及び保温性の向上を図るようにすると、羽毛布団の大幅なコスト上昇を招くため、実用的でないということがある。
【０００７】
したがって、等級の高い良質な羽毛を用いた羽毛布団は勿論のこと、等級の低くい羽毛を用いた羽毛布団であっても、夏季には涼しい感触で使用することができ、冬季には暖かな感触で使用することができる羽毛布団の開発が望まれている。
【０００８】
この発明は、羽毛の等級以上に夏季は涼しい感触で使用することができ、冬季は暖かな感触で使用することができる羽毛を用いた製品を提供することにある。
【課題を解決するための手段】
【０００９】
この発明は、袋状に縫製された外装体の内部に羽毛が充填される羽毛を用いた製品であって、
上記羽毛には蓄熱材が充填されたマイクロカプセルがバインダーによって付着されていることを特徴とする羽毛を用いた製品にある。
【００１０】
上記バインダーにはシリコン系のマイクロエマルジョンが用いられることが好ましい。
【００１１】
上記蓄熱材は温度変化が生じない領域が２５〜３０度の範囲内の任意の温度に設定されていることが好ましい。
【発明の効果】
【００１２】
この発明によれば、羽毛に蓄熱材が充填されたマイクロカプセルを付着させるようにしたから、上記蓄熱材は融点付近が温度変化の生じない領域となる。
【００１３】
そのため、利用者が夏季に涼しく、冬季に暖かく感じる温度、たとえば２５〜３０度の範囲内の任意の温度に融点が設定された蓄熱材を用いれば、上記羽毛が用いられた羽毛布団は、羽毛の性能だけでなく、羽毛に付着された蓄熱材によっても利用者に涼しさや暖かな感触を与えることができるから、羽毛の等級以上の性能を呈することになる。
【図面の簡単な説明】
【００１４】
【図１】この発明の一実施の形態を示す羽毛布団の斜視図。
【図２】図１に示す羽毛布団の一部を示す断面図。
【図３】羽毛にマイクロカプセルがバインダーによって付着された状態を示す拡大図。
【発明を実施するための形態】
【００１５】
以下、この発明の一実施の形態を図面を参照しながら説明する。
【００１６】
図１に示す羽毛を用いた製品としての羽毛布団は外装体１を備えている。この外装体１は、表側布地２と裏側布地３とを重ね合せ、これらの周辺部を縫合して袋状に形成されている。この外装体１の内部には、図２に示すように上端を表側布地２の内面に縫合し、下端を裏側布地３に内面に縫合した帯状仕切り布４が格子状に設けられている。それによって、上記外装体１の内部は複数の空間部５に区画形成されていて、各空間部５には羽毛７が充填されている。
【００１７】
図３に示すように、上記羽毛７には蓄熱材が充填されたマイクロカプセル８がバインダー９によって付着されている。上記マイクロカプセル８はたとえば１〜１０μｍ程度の大きさであって、その内部に充填される蓄熱材としては脂肪族炭化水素化合物、アルコール、エステル、脂肪酸などの有機系であって、融点がたとえば２５〜３０度、この実施の形態では２５度に設定されたものが用いられていている。上記バインダー９としてはシリコン系のマイクロエマルジョンは用いられている。
【００１８】
羽毛布団などに用いられる羽毛７の場合、JIS L 1903で設定された羽毛試験方法に基く清浄度試験が義務付けられていて、この試験基準（透視度５００ｍｍ以上）をクリアする必要がある。
【００１９】
清浄度試験の概略は、所定量の試料（羽毛）を三角フラスコに入れ、所定量の水を加えて試料が十分に湿潤するまでかくはんした後、振とう機を用いて所定時間振とうする。
【００２０】
振とう後、懸濁液をガラスろ過器でろ過し、透視度計に満たす。
【００２１】
所定照度の環境下で透視度計の上部から底部を透視しながら、懸濁液を排出する。標識板の２重十字が確認できたとき、懸濁液の排出を止め、そのときの懸濁液の高さを透視度計の目盛によって測定する。そのときの透視度計の読み（ｍｍ）が清浄度となる。
【００２２】
したがって、羽毛７に付着されたマイクロカプセル８が離脱すると、清浄度が低下し、清浄度試験が不合格になる虞がある。
【００２３】
羽毛７にマイクロカプセル８を付着させるバインダー９としてはシリコン系のマイクロエマルジョンの他にアクリル系やアクリル−シリコン系のものが知られている。しかしながら、アクリル系やアクリル−シリコン系のバインダーを用いてマイクロカプセル８を付着させた羽毛７の清浄度試験を行ったところ、基準となる清浄度をクリアすることができなかった。
【００２４】
つまり、アクリル系やアクリル−シリコン系のバインダーは羽毛７にマイクロカプセル８が強固に付着させることができないため、清浄度試験において振とう機を用いて羽毛及び水が入れられた三角フラスコを所定時間振とうすると、羽毛７からマイクロカプセル８が離脱してしまうことによって清浄度が低下することが確認された。
【００２５】
それに対し、シリコン系のマイクロエマルジョンをバインダー９として用いてマイクロカプセル８を付着した羽毛７の清浄度試験を行ったところ、基準となる清浄度をクリアすることができた。
【００２６】
つまり、バインダー９として用いられるシリコン系のマイクロエマルジョンは、粒径がたとえば２０ｎｍ程度と小さいく、浸透性に優れるため、羽毛７に対して均一に付着する。そのため、清浄度試験において羽毛７からマイクロカプセル８が離脱することのない強固な付着強度が得られるため、清浄度試験をクリアすることができることになる。
【００２７】
上記構成の羽毛布団によれば、外装体１の内部に収容された羽毛７に、融点が２５度に設定された蓄熱材が充填されたマイクロカプセル８をバインダー９によって付着させるようにした。
【００２８】
そのため、羽毛７に付着されたマイクロカプセル８の蓄熱材には、羽毛布団の利用者の身体から放出された熱が貯えられる。そのため、周囲の温度が大きく変化しても、羽毛布団の羽毛７の温度が大きく変化し難いから、利用者が感じる温度も大きく変化することがない。
【００２９】
そのため、羽毛布団の利用者は、周囲の温度が２５度よりも高い夏季には羽毛７の温度が２５度に維持されることで涼しさを感じることができ、周囲の温度が２５度よりも低い冬季には羽毛７の温度が２５度に維持されることで暖かさを感じることができる。
【００３０】
つまり、融点が２５度に設定された蓄熱材が充填されたマイクロカプセル８を羽毛布団の羽毛７に付着させたことで、羽毛７のもつ特性以上に、羽毛布団の性能を向上させることができる。
【００３１】
上記一実施の形態では羽毛が充填された製品として羽毛布団を例に挙げて説明したが、その他に寝袋、枕、クッション、コート、ダウンジャケットなどにも適用することができる。
【符号の説明】
【００３２】
１…外装体、２…表側布地、３…裏側布地、４…帯状仕切り布、５…空間部、６…羽毛、８…マイクロカプセル、９…バインダー。
【図１】
2013123482.tif 000003
【図２】
2013123482.tif 000004
【図３】
2013123482.tif 000005